(57)【要約】【課題】用紙の先後端を正確に検出することが可能な用紙端検出装置を提供すること。【解決手段】エッジ検出回路３０は、用紙検出信号に基づいて用紙の先後端を検出して、Ｈレベルのエッジ検出信号をカウンタ回路４０に出力している。カウンタ回路４０は、Ｈレベルのエッジ検出信号に基づいて、クロック信号ＣＬＫからのクロック数がレジスタ４１に予め設定された所定値（例えば５クロック）に達するまで、サンプリングを停止させるためのＬレベルの禁止信号をサンプリング回路２０に出力している。このため、サンプリング回路２０は、クロック信号ＣＬＫからのクロック数がレジスタ４１の所定値に達するまで、サンプリングを停止する。その結果、用紙の先後端が撓んで、フィラーセンサ１０からの検出信号にチャタリングが発生しても、用紙検出信号にチャタリングが含まれることはない。従って、チャタリングを含む用紙検出信号が読取部に出力されることはない。【選択図】　　図１
2004018227.tif 000002
【特許請求の範囲】
【請求項１】
用紙の有無を検出する検出手段と、その検出手段からの検出信号をサンプリングするサンプリング手段と、用紙のエッジを検出するエッジ検出手段と、そのエッジ検出手段が用紙のエッジを検出してから所定期間はサンプリング手段のサンプリングを停止させる制御手段とを備えた用紙端検出装置。
【請求項２】
請求項１に記載の用紙端検出装置において、制御手段は、サンプリングを停止させるための所定期間を予め記憶する記憶手段を備えている用紙端検出装置。
【請求項３】
請求項１または請求項２に記載の用紙端検出装置において、サンプリング手段は、クロック信号に同期して検出信号をサンプリングし、制御手段は、クロック信号に同期して禁止信号をサンプリング手段に出力する用紙端検出装置。
【発明の詳細な説明】
【０００１】
【発明の属する技術分野】
本発明は、用紙端の検出に特徴を有する用紙端検出装置に関するものである。
【０００２】
【従来の技術】
従来より、ファクシミリ装置の読取部や記録部においては、フィラーセンサ等の機械式センサや、フォト・インタラプタ等の光学式センサで、用紙の先後端を検出している。
【０００３】
【発明が解決しようとする課題】
しかしながら、機械式センサでは、用紙の先後端がセンサを通過する際に、用紙の先後端が撓んで、機械式センサからの検出信号にチャタリングが発生していた。このため、いずれのタイミングの検出信号で、用紙の先後端と判断するかが困難であった。その結果、用紙の先後端が正確に検出することができない場合があった。
【０００４】
そこで、機械式センサからの検出信号をサンプリングする周期を長くして、用紙の先後端を検出する方法が採用されていた。しかし、近年のように、用紙の搬送速度が速くなると、サンプリングの周期を長くする方法では、用紙の先後端を正確に検出することができない。
【０００５】
一方、ルーズリーフや連帳等のように用紙の端部に孔が透設されている場合には、その孔が原因となり、用紙の先後端を正確に検出することができない場合もあった。
【０００６】
本発明は、このような問題点に着目してなされたものであって、その目的は、用紙の先後端を正確に検出することが可能な用紙端検出装置を提供することにある。
【０００７】
【課題を解決するための手段】
上記の目的を達成するために、請求項１に記載の発明では、用紙の有無を検出する検出手段と、その検出手段からの検出信号をサンプリングするサンプリング手段と、用紙のエッジを検出するエッジ検出手段と、そのエッジ検出手段が用紙のエッジを検出してから所定期間はサンプリング手段のサンプリングを停止させる制御手段とを備えた。
【０００８】
請求項２に記載の発明では、請求項１に記載の用紙端検出装置において、制御手段は、サンプリングを停止させるための所定期間を予め記憶する記憶手段を備えている。
【０００９】
請求項３に記載の発明では、請求項１または請求項２に記載の用紙端検出装置において、サンプリング手段は、クロック信号に同期して検出信号をサンプリングし、制御手段は、クロック信号に同期して禁止信号をサンプリング手段に出力する。
【００１０】
【発明の実施の形態】
以下に、本発明に係る用紙端検出装置の一実施形態について図面を用いて説明する。
【００１１】
図１に示すように、用紙端検出装置１は、フィラーセンサ１０と、サンプリング回路２０、エッジ検出回路３０と、カウンタ回路４０とから構成されている。フィラーセンサ１０は、用紙の有無を検出して、その検出信号をサンプリング回路２０に出力する。サンプリング回路２０は、外部から入力されるクロック信号ＣＬＫに同期して、フィラーセンサ１０から入力された検出信号をサンプリングし、用紙検出信号をエッジ検出回路３０及び読取部（記録部）に出力する。
【００１２】
エッジ検出回路３０は、用紙検出信号に基づいて、用紙の先後端を検出して、そのエッジ検出信号をカウンタ回路４０に出力する。カウンタ回路４０は、予め設定された所定期間（クロック数）を記憶するレジスタ４１を備えている。そして、カウンタ回路４０は、外部から入力されるクロック信号ＣＬＫに同期して、エッジ検出回路３０から入力されたエッジ検出信号に基づいて、所定期間だけサンプリングを停止させるための禁止信号をサンプリング回路２０に出力する。
【００１３】
次に、用紙の先後端を検出するときの動作について、図２に示すタイミングチャートを用いて説明する。
さて、フィラーセンサ１０が用紙の先端を検出すると、検出信号がサンプリング回路２０に出力される。サンプリング回路２０は、クロック信号ＣＬＫの立上がりに基づいて（Ｔ１１）、その検出信号をサンプリングする。そして、サンプリング回路２０は、サンプリングに基づく用紙検出信号をエッジ検出回路３０に出力する。
【００１４】
エッジ検出回路３０は、用紙検出信号に基づいて、用紙の先端を検出して、Ｈレベルのエッジ検出信号をカウンタ回路４０に出力する。具体的には、最初のＨレベルの用紙検出信号を用紙の先端であると判断して、Ｈレベルのエッジ検出信号をカウンタ回路４０に出力する。
【００１５】
カウンタ回路４０は、Ｈレベルのエッジ検出信号に基づいて、クロック信号ＣＬＫからのクロック数がレジスタ４１に予め設定された所定値（例えば５クロック）に達するまで、サンプリングを停止させるためのＬレベルの禁止信号をサンプリング回路２０に出力する。このため、サンプリング回路２０は、クロック信号ＣＬＫからのクロック数がレジスタ４１の所定値に達するまで、サンプリングを停止する。ここで、図２に示すサンプリングのタイミングおいて、破線で示す矢印は（Ｔ１２〜Ｔ１５）、サンプリングの停止を示している。その結果、用紙の先端が撓んで、フィラーセンサ１０からの検出信号にチャタリングが発生しても、そのチャタリングによる検出信号が読取部（記録部）に出力されることはない。なお、図２に示す用紙検出信号において、破線で示す波形は、サンプリングを停止させるためのＬレベルの禁止信号がサンプリング回路２０に出力されない場合、つまり従来の用紙検出信号を示している。
【００１６】
そして、クロック信号ＣＬＫからのクロック数がレジスタ４１の所定値に達すると（Ｔ１６）、サンプリング回路２０は、サンプリングを再開する。すなわち、用紙の後端を検出するために、サンプリング回路２０のサンプリングが再開される。
【００１７】
やがて、フィラーセンサ１０が用紙の後端を検出すると、検出信号がサンプリング回路２０に出力される。サンプリング回路２０は、クロック信号ＣＬＫの立上がりに基づいて（Ｔ５１）、その検出信号をサンプリングする。そして、サンプリング回路２０は、サンプリングに基づく用紙検出信号をエッジ検出回路３０に出力する。
【００１８】
エッジ検出回路３０は、用紙検出信号に基づいて、用紙の後端を検出して、Ｈレベルのエッジ検出信号をカウンタ回路４０に出力する。具体的には、用紙の先端を検出し、サンプリングの停止期間を経た後、サンプリングが再開されてから、最初のＬレベルの用紙検出信号を用紙の後端であると判断して、そのエッジ検出信号をカウンタ回路４０に出力する。
【００１９】
カウンタ回路４０は、Ｈレベルのエッジ検出信号に基づいて、クロック信号ＣＬＫからのクロック数がレジスタ４１に予め設定された所定値（例えば５クロック）に達するまで、サンプリングを停止させるためのＬレベルの禁止信号をサンプリング回路２０に出力する。このため、サンプリング回路２０は、クロック信号ＣＬＫからのクロック数がレジスタ４１の所定値に達するまで、サンプリングを停止する。ここで、図２に示すサンプリングのタイミングおいて、破線で示す矢印は（Ｔ５２〜Ｔ５５）、サンプリングの停止を示している。その結果、用紙の後端が撓んで、フィラーセンサ１０からの検出信号にチャタリングが発生しても、そのチャタリングによる検出信号が読取部（記録部）に出力されることはない。なお、図２の用紙検出信号において、破線で示す波形は、サンプリングを停止させるためのＬレベルの禁止信号がサンプリング回路２０に出力されない場合、つまり従来の用紙検出信号を示している。
【００２０】
そして、クロック信号ＣＬＫからのクロック数がレジスタ４１の所定値に達すると（Ｔ５６）、サンプリング回路２０は、サンプリングを再開する。すなわち、次の用紙の先端を検出するために、サンプリング回路２０のサンプリングが再開される。
【００２１】
その結果、用紙の先後端が検出された場合には、その先後端に係る用紙検出信号のみが読取部（記録部）に出力される。このため、フィラーセンサ１０からの検出信号にチャタリングが発生しても、用紙検出信号にチャタリングが含まれることはない。従って、チャタリングを含む用紙検出信号が読取部（記録部）に出力されることはない。
【００２２】
以上、詳述したように本実施形態によれば、次のような作用、効果を得ることができる。
（１）用紙の有無をフィラーセンサ１０が検出して、その検出信号がサンプリング回路２０に出力されると、サンプリング回路２０は、クロック信号ＣＬＫの立上がりに同期して、その検出信号をサンプリングしている。サンプリング回路２０は、サンプリングに基づく用紙検出信号をエッジ検出回路３０に出力している。エッジ検出回路３０は、用紙検出信号に基づいて、用紙の先後端を検出して、Ｈレベルのエッジ検出信号をカウンタ回路４０に出力している。カウンタ回路４０は、Ｈレベルのエッジ検出信号に基づいて、クロック信号ＣＬＫからのクロック数がレジスタ４１に予め設定された所定値（例えば５クロック）に達するまで、サンプリングを停止させるためのＬレベルの禁止信号をサンプリング回路２０に出力している。このため、サンプリング回路２０は、クロック信号ＣＬＫからのクロック数がレジスタ４１の所定値に達するまで、サンプリングを停止する。その結果、用紙の先後端が撓んで、フィラーセンサ１０からの検出信号にチャタリングが発生しても、用紙検出信号にチャタリングが含まれることはない。従って、チャタリングを含む用紙検出信号が読取部（記録部）に出力されることはない。よって、用紙の先後端を正確に検出することができる。
【００２３】
（２）カウンタ回路４０は、サンプリング回路２０にサンプリングを停止させるための所定期間（クロック数）を記憶するレジスタ４１を備えている。このため、予め所定値をレジスタ４１に記憶させることにより、所定値（クロック数）に応じた任意の期間、サンプリングを停止させることができる。その結果、フィラーセンサ１０の特性に応じた所定値（クロック数）をレジスタ４１に記憶させて、あらゆるフィラーセンサ１０の特性に応じることができる。従って、汎用性がある用紙端検出装置１を提供することができる。なお、この所定値は、任意に変更できることが好ましい。
【００２４】
（３）加えて、カウンタ回路４０は、用紙の先端を正確に検出するためにサンプリングを停止させた後は、サンプリング回路２０にサンプリングを再開させている。このため、用紙の先端が検出された後、サンプリング回路２０のサンプリングに基づき用紙の後端が検出される。従って、用紙の先後端を正確に検出することができる。
【００２５】
（４）サンプリング回路２０は、外部から入力されるクロック信号ＣＬＫに同期して、フィラーセンサ１０からの検出信号をサンプリングしている。また、カウンタ回路４０も、外部から入力されるクロック信号ＣＬＫに同期して、禁止信号をサンプリング回路２０に出力している。このため、検出信号のサンプリング及びサンプリング回路２０への禁止信号が同期する。従って、用紙の先後端を正確に検出することができる。
【００２６】
なお、前記実施形態は、次のように変更して具体化することも可能である。
・前記実施形態を記録部における用紙の先後端の検出に適用しても良い。このように構成すれば、用紙の先後端が正確に検出される。このため、例えばコピーであれば、読取部で読み取った原稿の画データを、原稿と同一の位置に記録させることができる。
【００２７】
・サンプリング回路２０におけるサンプリングの停止期間、すなわち予めレジスタ４１に記憶させるクロック数は、用紙の先端と後端とで異ならせても良い。
・前記実施形態を光学式センサに適用しても良い。
【００２８】
さらに、上記実施形態より把握される技術的思想について、以下にそれらの効果と共に記載する。
〔１〕請求項１〜請求項３のいずれか１項に記載の用紙端検出装置において、制御手段は、所定期間だけサンプリング手段にサンプリングを停止させた後、サンプリングを再開させる用紙端検出装置。このように構成すれば、用紙の先後端を正確に検出することができる。
【００２９】
〔２〕請求項１〜請求項３、または前記〔１〕のいずれか１項に記載の用紙端検出装置において、検出手段は、機械式センサである用紙端検出装置。このように構成すれば、機械式センサがチャタリングを発生しても、用紙の先後端を正確に検出することができる。
【００３０】
【発明の効果】
本発明は、以上のように構成されているため、次のような効果を奏する。
請求項１〜請求項３のいずれか１項に記載の発明によれば、用紙の先後端を正確に検出することができる。
【００３１】
特に、請求項２に記載の発明によれば、汎用性がある用紙端検出装置を提供することができる。
【図面の簡単な説明】
【図１】用紙端検出装置を示すブロック図。
【図２】用紙の先後端を検出するときの動作を示すタイミングチャート。
【符号の説明】
１…用紙端検出装置、１０…検出手段としてのフィラーセンサ、２０…サンプリング手段としてのサンプリング回路、３０…エッジ検出手段としてのエッジ検出回路、４０…制御手段としてのカウンタ回路、４１…記憶手段としてのレジスタ、ＣＬＫ…クロック信号。
【図１】
2004018227.tif 000003
【図２】
2004018227.tif 000004